(57)【要約】 【課題】  一括ゴム栓に端子金具及び電線を挿通する際の作業性低下を回避する。【解決手段】  ワイヤシール部２４の前部に形成したハウジングシール部２５を溝部３０に嵌入することにより、ハウジングシール部２５を弾性変形させて、ハウジングシール部２５の外周と溝部３０の内周との間をシールするようにしている。このとき、ワイヤシール部２４は弾性変形していないので、各電線挿通孔２６には位置ずれが生じない。これにより、雌側端子金具１２を電線挿通孔２６に挿通してキャビティ１５に挿入する作業を円滑に行うことができる。【選択図】  図１
2006066208.tif 000002
【特許請求の範囲】
【請求項１】
電線の端末に固着された端子金具が収容されるキャビティを複数設けたコネクタハウジングの後面には、全キャビティの入り口にわたる収容凹部が設けられ、この収容凹部内に、前記各キャビティと対応して電線挿通孔の開口された一括型のゴム栓が収容された防水コネクタにおいて、
前記ゴム栓は、前記電線挿通孔に挿入された前記電線の外周と、前記電線挿通孔の内周とが弾性的に密着することで前記電線と前記ゴム栓との間のシールをするワイヤシール部と、前記収容凹部の内周と弾性的に密着することで前記収容凹部と前記ゴム栓との間のシールをするハウジングシール部とからなり、
前記ワイヤシール部と、前記ハウジングシール部とは、前記ゴム栓の厚み方向にずれた状態で形成されていることを特徴とする防水コネクタ。
【請求項２】
前記ゴム栓の後面には、前記ゴム栓を押さえるためのゴム栓ホルダが組み付けられており、
前記ゴム栓ホルダ又は前記収容凹部のうち前記ワイヤシール部と対向する面には、支持壁が配されていることを特徴とする請求項１記載の防水コネクタ。
【請求項３】
前記ハウジングシール部は、前記ワイヤシール部の前部に形成されていると共に、前記ワイヤシール部の外周側に突出するように形成されており、
前記ハウジングシール部の内周には段差面が形成されており、
前記収容凹部内には、前記ハウジングシール部と対応する位置に、前記ハウジングシール部と嵌合可能な溝部が形成されており、
前記溝部の内周部分を構成する壁部の後端縁は、前記段差面と当接することで、前記ワイヤシール部がハウジングシール部内に落ち込むように撓み変形するのを規制することを特徴とする請求項１または２記載の防水コネクタ。
【発明の詳細な説明】
【技術分野】
【０００１】
本発明は、一括型のゴム栓を用いた防水コネクタに関する。
【背景技術】
【０００２】
従来より、この種の防水コネクタの一例として下記特許文献１に記載されたものが知られている。このものは、コネクタハウジングの後端面の収容凹部に一括ゴム栓を収容すると共に、その一括ゴム栓の挿通孔に端子金具に接続した電線を挿通し、一括ゴム栓の外周と収容凹部の内周との間をシールすると共に、各挿通孔の内周と電線の外周との間をシールするようにしたものである。
【特許文献１】特開平１０−２１９８９号公報
【発明の開示】
【発明が解決しようとする課題】
【０００３】
上述の防水コネクタの組付に際しては、まず収容凹部に一括ゴム栓を収容しておき、その後に一括ゴム栓に端子金具及び電線を挿通させてコネクタハウジング内のキャビティに挿入する、という手順で作業が行われるが、収容凹部に一括ゴム栓を収容した時点で、既に一括ゴム栓が平面方向内方へ弾性撓みする。
【０００４】
ところが、一括ゴム栓が弾性変形すると、一括ゴム栓に形成されている複数の挿通孔が、キャビティに対して位置ずれを生じる場合がある。すると、端子金具及び電線を挿通孔に挿通させるときの抵抗が大きくなり、挿通の作業性が悪くなるおそれがある。
【０００５】
本発明は上記のような事情に基づいて完成されたものであって、一括ゴム栓に端子金具及び電線を挿通する際の作業性低下を回避することを目的とする。
【課題を解決するための手段】
【０００６】
上記の目的を達成するための手段として、請求項１の発明は、電線の端末に固着された端子金具が収容されるキャビティを複数設けたコネクタハウジングの後面には、全キャビティの入り口にわたる収容凹部が設けられ、この収容凹部内に、前記各キャビティと対応して電線挿通孔の開口された一括型のゴム栓が収容された防水コネクタにおいて、前記ゴム栓は、前記電線挿通孔に挿入された前記電線の外周と、前記電線挿通孔の内周とが弾性的に密着することで前記電線と前記ゴム栓との間のシールをするワイヤシール部と、前記収容凹部の内周と弾性的に密着することで前記収容凹部と前記ゴム栓との間のシールをするハウジングシール部とからなり、前記ワイヤシール部と、前記ハウジングシール部とは、前記ゴム栓の厚み方向にずれた状態で形成されていることを特徴とする。
【０００７】
請求項２の発明は、請求項１記載のものにおいて、前記ゴム栓の後面には、前記ゴム栓を押さえるためのゴム栓ホルダが組み付けられており、前記ゴム栓ホルダ又は前記収容凹部のうち前記ワイヤシール部と対向する面には、支持壁が配されていることを特徴とする。
【０００８】
請求項３の発明は、請求項１または２記載のものにおいて、前記ハウジングシール部は、前記ワイヤシール部の前部に形成されていると共に、前記ワイヤシール部の外周側に突出するように形成されており、前記ハウジングシール部の内周には段差面が形成されており、前記収容凹部内には、前記ハウジングシール部と対応する位置に、前記ハウジングシール部と嵌合可能な溝部が形成されており、前記溝部の内周部分を構成する壁部の後端縁は、前記段差面と当接することで、前記ワイヤシール部がハウジングシール部内に落ち込むように撓み変形するのを規制することを特徴とする。
【発明の効果】
【０００９】
＜請求項１の発明＞
請求項１の発明によれば、ハウジングシール部が弾性変形して、収容凹部の内壁と弾性的に密着することにより、収容凹部とゴム栓との間がシールされる。
【００１０】
ハウジングシール部とワイヤシール部とは、ゴム栓の厚み方向にずれた状態で形成されているので、ハウジングシール部が弾性変形しても、ワイヤシール部は弾性変形しない。これにより、電線挿通孔の位置がずれることを防止できるから、ゴム栓に端子金具及び電線を挿通する際の作業性低下を回避することができる。
【００１１】
＜請求項２の発明＞
請求項２の発明によれば、支持壁によって、ワイヤシール部の側方への位置決めが図られる。
【００１２】
＜請求項３の発明＞
請求項３の発明によれば、ハウジングシール部が溝部に挿入されて弾性変形することにより、溝部の内周と弾性的に密着して、収容凹部とゴム栓との間がシールされる。
【００１３】
また、ワイヤシール部の電線挿通孔に端子金具及び電線を挿入する際、ワイヤシール部が、端子金具及び電線により前方に押し込まれても、溝部の内周部分を構成する壁部の後端縁が、ハウジングシール部の内周面に形成された段差面と当接することで、ワイヤシール部がハウジングシール部内へ落ち込むように撓み変形することを防止できる。
【発明を実施するための最良の形態】
【００１４】
本発明の一実施形態を図１ないし図６を参照して説明する。図１に示すように、本実施形態の防水コネクタ１０は、コネクタハウジング１１内に雌側端子金具１２（請求項１における端子金具に相当）が収容されると共に、コネクタハウジング１１に配された一括型のゴム栓１３によりシールが取られるようになっている。なお、以下の説明では、図１における左側を前方とする。
【００１５】
図２及び図３に示すように、コネクタハウジング１１は合成樹脂材によりブロック状に形成されており、外筒部４０の内側には、前後方向に延びる複数のキャビティ１５が幅方向に並んで形成された内筒部４１が形成されている。また、各キャビティ１５内には、雌側端子金具１２が、キャビティ１５内に設けられたランス１６に係止されて抜け止め状態で収容されるようになっている。なお、上記の雌側端子金具１２は、図６に示すように、導電性の金属板をプレス加工することで形成され、前端側に弾性接触片（図示せず）を内部に備えた箱形の接続部１９が形成され、後端側のバレル部２０がかしめられて電線２１の端末に圧着されている。
【００１６】
上記の内筒部４１と外筒部４０との間の隙間が、図示しない相手側コネクタハウジングとの嵌合空間となる。内筒部４１の後端部には、ゴム栓１３を収容させるための収容凹部１４が、後方に開口すると共に、全キャビティ１５の入口にわたるようにして形成されている。さらに内筒部４１の後端部は薄肉となって収容凹部内に突入する内周壁４２（請求項３における壁部に相当）が突出形成されている。また、この内周壁４２の外側には、溝部３０を全周に保有して外周壁４３が配されており、この実施形態においては、外周壁４３の方が、内周壁４２よりもより後方に延びるように形成されている。外周壁４３の外側面の後端部には、後述するゴム栓ホルダ２２を係止するためのロック突部１８が、図３に示すように、３箇所設けられている。
【００１７】
図１に示すように、収容凹部１４内には一括型のゴム栓１３が収容されるようになっている。図２及び図５に示すように、ゴム栓１３は、ワイヤシール部２４と、このワイヤシール部２４とは、ゴム栓１３の厚み方向に対してずれた状態で形成されたハウジングシール部２５とからなる。
【００１８】
ワイヤシール部２４は、全キャビティ１５の後面を覆うことが可能なように横長の厚板状に形成されている。ワイヤシール部２４には、コネクタハウジング１１の各キャビティ１５と対応した位置ごとに電線挿通孔２６が貫通されている。各電線挿通孔２６の内周面には、電線２１の外周面と弾性的に密着可能な図示２条のリップ２７が周設されている。
【００１９】
ハウジングシール部２５は、ワイヤシール部２４の前部に形成されていると共に、ワイヤシール部２４の外周側に突出するように形成されている。これによりワイヤシール部２４とハウジングシール部２５との境界部には、内側段差面４４（請求項３における段差面に相当）と、外側段差面４５とが形成される。なお、ハウジングシール部２５の肉厚と、ワイヤシール部２４の肉厚とは略等しくなるようになっている。
【００２０】
ハウジングシール部２５はコネクタハウジング１１の溝部３０内に嵌入可能に形成されている。このハウジングシール部２５の外周面及び内周面にはそれぞれ、溝部３０と弾性的に密着可能な図示２条のリップ２８が周設されている。このとき、ハウジングシール部２５を溝部３０に嵌入するときにはハウジングシール部２５の弾性変形を伴うが、本実施形態ではハウジングシール部２５とワイヤシール部２４とが厚み方向にずれて形成されているので、ワイヤシール部２４への影響が断たれている。
【００２１】
なお、図２に示すように、ハウジングシール部２５の前端から内側段差面４４までの長さ寸法Ｌは、ハウジングシール部２５が溝部３０内に嵌入された時に、内周壁４２の後端縁が内側段差面４４と前方から当接するように設定されている。また、ハウジングシール部２５が溝部３０内に嵌入されて、内周壁４２の後端縁が内側段差面４４と前方から当接した状態では、ワイヤシール部２４の後端と、内筒部４１の外周壁４３の後端とが略面一になるように形成されている（図１及び図６参照）。
【００２２】
図１に示すように、ゴム栓１３の後方からはゴム栓ホルダ２２が取り付けられるようになっている。このゴム栓ホルダ２２は、図２及び図４に示すように、合成樹脂材により、前方に開口するキャップ状に形成されている。ゴム栓ホルダ２２の後壁には、雌側端子金具１２を挿通可能な窓孔２３が、キャビティ１５、及び電線挿通孔２６と対応した位置に方形状に開口して形成されている。また、ゴム栓ホルダ２２の側壁の前端部には、コネクタハウジング１１のロック突部１８と対応する位置に、ロック突部１８を誘い込むためのテーパ面１７が形成されている。テーパ面１７の後方には、ロック突部１８と係止するための係止部４６が形成されている。さらに、図２及び図４に示すように、ゴム栓ホルダ２２の後壁の内側面（ワイヤシール部２４と対向する面）には、ワイヤシール部２４の外周を包囲するように、支持壁３２が前方に突設されている。すなわち、支持壁３２により、ワイヤシール部２４の横ずれの簡易的な規制が可能となっている。また、支持壁３２とワイヤシール部２４との間には、ワイヤシール部２４の端部に位置する電線挿通孔２６の拡張を許容する程度の隙間が形成されている。
【００２３】
なお、ゴム栓１３が収容凹部１４内に収容された状態では、ハウジングシール部２５がワイヤシール部２４の外周側に突出するように形成されていることから、外周壁４３とワイヤシール部２４との間には隙間が形成されており、この隙間内に支持壁３２が収容されるように、支持壁３２の厚さ寸法Ｔは設定されている（図２参照）。さらに支持壁３２の高さ寸法Ｈは、ゴム栓ホルダ２２がコネクタハウジング１１に取り付けられたときに、支持壁３２の前端が外側段差面４５に後方から当接するように設定されている（図２参照）。
【００２４】
次に、本実施形態の作用について説明する。防水コネクタ１０の組付けに際しては、まずコネクタハウジング１１の収容凹部１４に形成された溝部３０に、ゴム栓１３のハウジングシール部２５を、図２の矢線に示すように嵌入する。ハウジングシール部２５のリップ２８は、弾縮されつつ溝部３０の内周面に密着し、ハウジングシール部２５の外周と、溝部３０の内周との間が水密状態にシールされる。また、内周壁４２の後端縁は、ハウジングシール部２５の内側段差面４４に、前方から当接するようになっている。このとき、前述したように、ハウジングシール部２５とワイヤシール部２４とはゴム栓１３の厚み方向にずれた状態に形成されていることから、ワイヤシール部２４が弾性変形することはない。したがって、各電線挿通孔２６が、それぞれに対応するコネクタハウジング１１のキャビティ１５に対して位置ズレすることがない。
【００２５】
続いて、ゴム栓１３の後方から、図２の矢線に示すようにコネクタハウジング１１にゴム栓ホルダ２２を組み付けると、ロック突部１８がテーパ面１７と前方から当接する。更にゴム栓ホルダ２２を前方に押し込むと、ロック突部１８がテーパ面１７を乗り越えてゴム栓ホルダ２２の側壁に形成された係止部４６と係止することにより、ゴム栓ホルダ２２がコネクタハウジング１１に組み付けられる。この状態では、ゴム栓ホルダ２２の後壁の内側面が外周壁４３の後端及びワイヤシール部の後端と後方から当接すると共に、支持壁３２の前端が外側段差面４５と後方から当接することにより、ゴム栓１３の抜け止めが図られるようになっている。
【００２６】
また、ゴム栓ホルダ２２がコネクタハウジング１１に組み付けられると、外周壁４３とワイヤシール部２４との間に生じた隙間に、支持壁３２が収容される（図１及び図６参照）。また、支持壁３２は、ワイヤシール部２４の外周を包囲するようになっており、これによりワイヤシール部２４の側方への位置決めが図られるようになっている
【００２７】
係る状態から、図６の矢線に示すように、電線２１の端末に固着された雌側端子金具１２をゴム栓ホルダ２２の窓孔２３に挿入すると、雌側端子金具１２は引き続いて電線挿通孔２６を弾性的に広げつつ、その中を通過してキャビティ１５内に進入し、正規位置まで挿入されると、ランス１６により抜け止め状態に係止され、また電線挿通孔２６の内周のリップ２７が復元変形して電線２１の外周に密着することにより電線挿通孔２６と電線２１との間が水密状態にシールされる。このとき、ハウジングシール部２５の内側段差面４４と、内周壁４２の後端縁が当接していることから、ワイヤシール部２４が雌側端子金具１２及び電線２１により前方に押し込まれて、ハウジングシール部２５内へ落ち込むように撓み変形することを防止できる。
【００２８】
以上説明したように、本実施形態によれば、ワイヤシール部２４の前部に形成したハウジングシール部２５を溝部３０に嵌入することにより、ハウジングシール部２５を弾性変形させて、ハウジングシール部２５の外周と溝部３０の内周との間をシールするようにしている。このとき、ワイヤシール部２４は弾性変形していないので、各電線挿通孔２６には位置ずれが生じない。これにより、雌側端子金具１２を電線挿通孔２６に挿通してキャビティ１５に挿入する作業を円滑に行うことができる。
【００２９】
しかも、支持壁３２がワイヤシール部２４の外周を包囲するように配されているので、ワイヤシール部２４の側方への位置決めを図ることができる。
【００３０】
さらに、ハウジングシール部２５の内側段差面４４と、内周壁４２の後端縁が当接していることから、電線挿通孔２６に雌側端子金具１２及び電線２１を挿入する際に、ワイヤシール部２４が雌側端子金具１２及び電線２１により前方に押し込まれて、ハウジングシール部２５内へ落ち込むように撓み変形することを防止できる。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３２】
（１）本実施形態においては、ハウジングシール部２５が、ワイヤシール部２４の外周側に突出するように形成されて、ワイヤシール部２４とハウジングシール部２５との境界部に、内側段差面４４と外側段差面４５とが形成される構成としたが、これに限られず、ワイヤシール部２４とハウジングシール部２５との境界部に、内側段差面４４又は外側段差面４５が形成されない構成としてもよい。
【００３３】
（２）本実施形態においては、ゴム栓ホルダ２２の後壁の内側面には、支持壁３２が設けられていたが、これに限られず、支持壁３２については、外側段差面４５の有無に拘わらず、ゴム栓ホルダ２２に設けられない構成としてもよい。
【００３４】
（３）本実施形態では、ハウジングシール部２５の内周に内側段差面４４が形成されると共に、収容凹部１４にはハウジングシール部２５が嵌入するための溝部３０が形成される構成としたが、これに限られず、ハウジングシール部２５の内周には内側段差面４４が形成されない構成とし、かつ収容凹部１４内には溝部３０が形成されない構成としてもよい。
【００３５】
（４）本実施形態においては、ワイヤシール部２４の前部にハウジングシール部２５が形成される構成としたが、これに限られず、ワイヤシール部２４の後部にハウジングシール部２５が形成される構成としてもよい。
【００３６】
（５）さらに、ワイヤシール部２４の後部にハウジングシール部２５が形成される場合には、収容凹部１４のうちワイヤシール部２４と対向する面に支持壁が配される構成としてもよい。
【００３７】
（６）本実施形態においては、雌側端子金具１２を備えた雌コネクタに適用した例を説明したが、本発明は、雄側端子金具を備えた雄コネクタに適用してもよい。
【図面の簡単な説明】
【００３８】
【図１】本発明の一実施形態に係る防水コネクタの使用状態の平断面図
【図２】コネクタハウジングと、ゴム栓と、ゴム栓ホルダとを組み付ける前の状態を示す平断面図
【図３】コネクタハウジングの背面図
【図４】ゴム栓ホルダの正面図
【図５】ゴム栓の正面図
【図６】防水コネクタに雌側端子金具を挿入する状態を示す平断面図
【符号の説明】
【００３９】
１１…コネクタハウジング
１２…雌側端子金具（端子金具）
１３…ゴム栓
１４…収容凹部
１５…キャビティ
２１…電線
２２…ゴム栓ホルダ
２４…ワイヤシール部
２５…ハウジングシール部
２６…電線挿通孔
３０…溝部
３２…支持壁
４２…内周壁（壁部）
４４…内側段差面（段差面）
【図１】
2006066208.tif 000003
【図２】
2006066208.tif 000004
【図３】
2006066208.tif 000005
【図４】
2006066208.tif 000006
【図５】
2006066208.tif 000007
【図６】
2006066208.tif 000008